(57)【要約】  【課題】赤目補正等の高品位な画像処理を行った際に、プリント作成の依頼者等に、そのことを認識せしめることを目的とする。  【解決手段】通常の裏印字（バックプリント）に加えて、出力画像に施した画像処理に関する情報も裏印字することにより、前記課題を解決する。【選択図】図２
2006145731.tif 000002
【特許請求の範囲】
【請求項１】
画像データの取得手段と、
仕上がり予測画像の表示手段と、
前記仕上がり予測画像を調整する調整手段と、
前記画像データに、前記調整手段による調整を反映させた画像処理を施して、出力用画像データとする画像処理手段と、
前記調整手段による調整の情報を含む裏印字情報である第１裏印字情報の生成手段、および、前記画像処理手段が実施した画像処理に応じた裏印字情報である第２裏印字情報を生成し、かつ、前記第１裏印字情報および第２裏印字情報を編集して裏印字記録情報とする裏印字情報編集出力手段と、
前記出力用画像データに応じて記録媒体に可視像を再生すると共に、前記記録媒体の裏面に裏印字情報編集出力手段が出力した裏印字記録情報に応じた裏印字を行う、画像形成手段とを有することを特徴とするプリンタ。
【請求項２】
前記画像処理手段は、階調補正、色／濃度補正、彩度補正、シャープネス処理、粒状抑制処理、および、覆い焼き処理を実施する機能に加え、赤目補正、画像欠損部の補正、撮影レンズに起因する収差補正、撮影レンズに起因する周辺減光補正、トリミング、ソフトフォーカス処理、および、グロスフィルタ処理の少なくと１つを実施する機能を有し、
また、前記第２裏印字情報は、シャープネス処理、粒状抑制処理、覆い焼き処理、赤目補正、画像欠損部の補正、収差補正、周辺減光補正、トリミング、ソフトフォーカス処理、および、クロスフィルタ処理の少なくとも１つに関する情報である請求項１に記載のプリンタ。
【請求項３】
赤目補正、画像欠損部の補正、収差補正、および、周辺減光補正のうち、設定された機能の全ての実施もしくは非実施を選択する選択手段を有する請求項２に記載のプリンタ。
【請求項４】
赤目補正、画像欠損部の補正、収差補正、および、周辺減光補正の実施の有無を個々に選択する選択手段を有する請求項２または３に記載のプリンタ。
【請求項５】
前記第２裏印字情報による裏印字は、画像処理を実施した旨の情報である請求項１〜４のいずれかに記載のプリンタ。
【請求項６】
前記画像処理を実施した旨の情報に加え、実施した少なくとも１つの画像処理に関しては、処理の内容の情報も記録する請求項５に記載のプリンタ。
【請求項７】
画像処理に応じて、実施した処理の内容に対する裏印字の内容が異なる請求項６に記載のプリンタ。
【発明の詳細な説明】
【技術分野】
【０００１】
本発明は、主に写真プリントを作成するプリンタの技術分野において、顧客やオペレータが、出力したプリントに施した画像処理を容易に知見することができ、例えば、赤目補正などの高品位な画像処理を行った際に、このような高品位な画像処理を施したことを容易に認識させ得るプリントを出力できるプリンタに関する。
【背景技術】
【０００２】
近年、フィルムに記録された画像を光電的に読み取って、読み取った画像をデジタル信号とした後、種々の画像処理を施して記録用の画像データとし、この画像データに応じて変調した記録光によって感光材料を露光してプリントとして出力するデジタルフォトプリンタが実用化されている。
デジタルフォトプリンタでは、フィルムに撮影された画像を光電的に読み取って、画像をデジタルの画像データとして、画像の処理や感光材料の露光を行う。そのため、フィルムに撮影された画像のみならず、デジタルカメラ等で撮影された画像（画像データ）からも、プリントの作成を行うことができる。
【０００３】
また、前述のように、デジタルフォトプリンタでは、画像をデジタルの画像データとして扱うので、画像データを処理することによって画像処理（画像の補正や調整）を行うことができる。
そのため、従来のアナログ露光のプリンタ（フィルムの投影光で感光材料（印画紙）を露光するプリンタ）に比して、極めて高い自由度で色／濃度補正、階調補正、彩度補正等の画像処理を行うことができ、いわゆるオーバー露光やアンダー露光、逆光シーン等であっても、安定して高画質な画像を再生できる。
【０００４】
さらに、デジタルフォトプリンタであれば、シャープネス処理、覆い焼き処理（中間階調を維持した画像ダイナミックレンジの調整による覆い焼き効果の付与）、赤目補正、周辺減光補正（撮影レンズの周辺減光による濃度ムラの補正）、収差補正（撮影レンズの収差による歪みの補正）、傷消し処理（フィルムや撮影レンズの傷や付着したゴミ等による欠損画素の補正）など、アナログ露光のプリンタでは、オペレータに非常に高度な技術を要求する画像処理や、極めて困難あるいは実質的に不可能な画像処理も、画像データの処理によって行うことができる。
【０００５】
色／濃度補正、階調補正、彩度補正などは、適正な画像を完成させるために最低限必要な処理である。すなわち、これらの画像処理のみを行うことで、製品としてのプリントを仕上げることはできる。
これに対し、シャープネス処理、覆い焼き処理、赤目補正、周辺減光補正、収差補正、傷消し処理などは、より高度な演算や解析が必要な、いわば高品位な画像処理である。従って、これらの画像処理を行うことにより、デジタル露光の利点を十分に発揮した、高画質な画像を再生したプリントを出力することができる。その反面、これらを実施することにより、処理に時間が掛かり、かつ、高度なシステムが必要なる。特に、赤目補正や傷消し処理は、出力用の画像データに対応する高解像度の画像を用いた解析が必要であり、処理に時間がかかる。
【０００６】
しかしながら、顧客（写真プリントの作成依頼者）が鑑賞するのは、仕上がったプリントであり、撮影した画像を再生した画像にどのような画像処理が施されているのかを知ることはない。
そのため、処理時間を掛け、また、高度な画像処理システムを用いて高品位な処理を行い、一般的なラボシステムや処理システムよりも高画質な画像を仕上げても、そのことを顧客に訴求し、評価してもらうことは、非常に困難である。
【０００７】
このような問題を解決する方法として、特許文献１には、顧客が注文した１件の中から画像を選択して、この画像については、デジタル的にエンハンスメント（質的な向上・強化）を施した画像を再生したプリントと、エンハンスメントを施さない画像を再生したプリントとを出力するプリント方法が開示されている。
【０００８】
【特許文献１】特開２００３−２０５６６０号公報
【発明の開示】
【発明が解決しようとする課題】
【０００９】
この方法によれば、画像処理によって高画質な画像を再生したプリントを出力したことを顧客に認識してもらい、評価してもらうことができる。
しかしながら、このプリント方法では、１件の中から選択された画像に関しては、それなりに実施した画像処理を訴求できるが、それ以外の画像は、画像処理の効果を訴求することはできない。そのため、各画像毎に異なる画像処理を施し、個々のプリント毎に画像処理の効果を訴求し、かつ、評価してもらうためには、全ての画像で２枚のプリントが必要になり、すなわち、２倍の枚数のプリントを出力する必要がある。
しかも、このプリント方法では、個々の画像に、具体的に、どのような画像処理が施されているかも、知ることができない。
【００１０】
本発明の目的は、前記従来技術の問題点を解決することにあり、写真フィルムに撮影された画像やデジタルカメラ等で撮影された画像に、各種の画像処理を施してプリントを出力した際に、個々のプリント毎に、実施した画像処理あるいはさらにその内容を容易に知見することができるプリントを出力できるプリンタを提供することにある。
【課題を解決するための手段】
【００１１】
前記目的を達成するために、本発明は、画像データの取得手段と、仕上がり予測画像の表示手段と、前記仕上がり予測画像を調整する調整手段と、前記画像データに、前記調整手段による調整を反映させた画像処理を施して、出力用画像データとする画像処理手段と、前記調整手段による調整の情報を含む裏印字情報である第１裏印字情報の生成手段、および、前記画像処理手段が実施した画像処理に応じた裏印字情報である第２裏印字情報を生成し、かつ、前記第１裏印字情報および第２裏印字情報を編集して裏印字記録情報とする裏印字情報編集出力手段と、前記出力用画像データに応じて記録媒体に可視像を再生すると共に、前記感光材料の裏面に裏印字情報編集出力手段が出力した裏印字記録情報に応じた裏印字を行う、画像形成手段とを有することを特徴とするプリンタを提供する。
【００１２】
このような本発明のプリンタにおいて、前記画像処理手段は、階調補正、色／濃度補正、彩度補正、シャープネス処理、粒状抑制処理、および、覆い焼き処理を実施する機能に加え、赤目補正、画像欠損部の補正、撮影レンズに起因する収差補正、撮影レンズに起因する周辺減光補正、トリミング、ソフトフォーカス処理、および、グロスフィルタ処理の少なくと１つを実施する機能を有し、また、前記第２裏印字情報は、シャープネス処理、粒状抑制処理、覆い焼き処理、赤目補正、画像欠損部の補正、収差補正、周辺減光補正、トリミング、ソフトフォーカス処理、および、クロスフィルタ処理の少なくとも１つに関する情報であるのが好ましい。
また、赤目補正、画像欠損部の補正、収差補正、および、周辺減光補正のうち、設定された機能の全ての実施もしくは非実施を選択する選択手段を有するのが好ましく、さらに、赤目補正、画像欠損部の補正、収差補正、および、周辺減光補正の実施の有無を個々に選択する選択手段を有するのが好ましい。
また、前記第２裏印字情報による裏印字は、画像処理を実施した旨の情報であるのが好ましく、この際において、前記画像処理を実施した旨の情報に加え、実施した少なくとも１つの画像処理に関しては、処理の内容の情報も記録するのが好ましく、さらに、画像処理に応じて、実施した処理の内容に対する裏印字の内容が異なるのが好ましい。
【発明の効果】
【００１３】
本発明は、上記構成を有することにより、個々のプリント毎に、実施した画像処理について容易に知見できるプリントを出力することができる。
そのため、本発明によれば、例えば、赤目補正やゴミ傷消し処理などの高品位な処理を施してプリントを出力した際に、プリントを注文した顧客に、高品位な画像処理を施して画像を出力したことを認識してもらうことができ、画像（製品）の高付加価値化、高品位処理を行わない画像との差別化、ラボ店等における他店舗との差別化や他店舗に対する価格維持、顧客の獲得および確保などを図ることができる。また、クレームに応じた再プリントの作成等の際に、ラボ店が、先のプリントでどのような画像処理を施したかを容易に知見することができるので、不具合を的確に修正して、要求される再プリントを確実に出力することができる。
【発明を実施するための最良の形態】
【００１４】
以下、本発明のプリンタについて、添付の図面に示される好適実施例を基に、詳細に説明する。
【００１５】
図１に、本発明のプリンタの一例の概念図を示す。
図示例のプリンタ１０は、フィルムに撮影された画像（画像データ）やデジタルカメラで撮影された画像の画像（画像データ）を得て、この画像に画像処理を施してプリント画像（出力用の画像データ）とし、このプリント画像に応じて感光材料（印画紙）を露光して、（写真）プリントとして出力する、前述のデジタルフォトプリンタであって、入力機１２と出力機１４とを有して構成される。
【００１６】
一例として、入力機１０は、スキャナ１６、画像処理装置１８、およびＤＩＣ（Digital Image Controller)２０を有して構成される。なお、入力機１０は、スキャナ１６および画像処理装置１８のみで構成されてもよく、あるいは、ＤＩＣ２０のみで構成されてもよく、あるいは、画像処理装置１８およびＤＩＣ２０のみで構成されてもよい。
さらに、入力機１０には、裏印字情報編集出力手段５０（図２参照  図１では省略）が配置される。裏印字情報編集出力手段５０は、画像処理装置１８およびＤＩＣ２０の両者が有してもよく、あるいは、画像処理装置１８およびＤＩＣ２０の一方のみが有して他方から必要な情報が送られるようにしてもよく、画像処理装置１８およびＤＩＣ２０とは全く独立した部位として入力機１０が有してもよい。
【００１７】
スキャナ１６は、（写真）フィルムに読取光を入射して投影光を光電的に読み取ることによって、フィルムに撮影された画像を読み取る、公知のフィルムスキャナである。
画像処理装置１８は、スキャナが読み取った画像データや外部から供給された画像データに、画像処理を施してプリント画像として出力機１２に出力するものである。また、画像処理装置１８は、検定画像（仕上がり予測画像（シミューレーション画像））を表示して、画像の色や濃度などの調整を行う検定機能も有している。
【００１８】
ＤＩＣ２０は、デジタルカメラや撮影機能付の携帯電話などの撮像装置、同撮像装置によって撮影された画像を記憶するスマートメディアTMやＰＣカードTM等の記憶媒体、パーソナルコンピュータやプリント注文受付端末等が接続される各種の通信ネットワーク等から、撮像装置によって撮像された画像（画像データ）を取得して、画像処理を施して、プリント画像として出力機１２に出力する。
図示例においては、ＤＩＣ２０は、画像処理装置１８と同様の画像処理機能、および検定機能を有している。しかしながら、ＤＩＣ２０の性能やプリンタ１０（システム）の構成によっては、ＤＩＣ２０は、取得した画像を未処理で画像処理装置１８に供給して、画像処理装置１８で画像処理および検定を行って出力機１４にプリント画像を供給してもよく、あるいは、取得した画像に画像処理を施して画像処理装置１８に供給して、画像処理装置１８で検定を行って出力機１４にプリント画像を供給してもよく、あるいは、ＤＩＣ２０で検定を行ってプリント画像とし、これを画像処理装置１８を介して出力機１４に供給してもよい。
また、ＤＩＣ２０には、ラボ店の店頭や街頭等に設置され、撮像装置や記録媒体から画像を読み取り、かつ、プリント注文指示を受け付けて、画像と注文情報とを対応付けして出力する注文の受付装置が、通信ネットワーク等で接続されてもよい。
【００１９】
裏印字情報編集出力手段５０は、画像のコマ番号等の情報、検定時における画像修正の情報、画像に施した画像処理の情報を取得して、通常の写真プリントにおける裏印字に対応する第１裏印字情報、および、画像に施した画像処理に対応する第２裏印字情報を生成し、両裏印字情報を編集して裏印字を記録するための裏印字記録情報を生成して、対応するプリント画像に対応付けして出力機１４に出力するものである。
裏印字情報編集出力手段５０に関しては、後に詳述する。
【００２０】
出力機１４は、ロール状に巻回された長尺な感光材料（印画紙）Ａを、マガジン３０から引き出して、カッタ３２によってプリントサイズに切断した後、裏印字手段３４によって感光材料Ａの裏面（非感光面）に裏印字を行う（バックプリントを記録する）。なお、裏印字手段３４は、現像処理による劣化が無いものであれば、ドットインパクトプリンタ、インクジェットプリンタ、熱転写プリンタ等の各種のプリント手段が利用可能である。
出力機１４では、感光材料Ａに裏印字を行った後、露光ユニット３６から、入力機１２から供給されたプリント画像に応じて変調した光ビームＬ（記録光）を主走査方向に偏向して所定の露光位置に入射すると共に、感光材料Ａを露光位置に位置しつつ主走査方向と直交する副走査方向に搬送することにより、光ビームＬによって感光材料Ａを二次元的に走査露光して、潜像を記録する。
潜像を記録した感光材料Ａは、現像部４０に供給して、現像、漂白／定着、水洗の各処理を順次行って現像処理を行い、現像済の感光材料を乾燥して、仕上がり（写真）プリントとして出力し、１件毎に仕分けする。
【００２１】
以下、図２を参照して、プリンタ１０の作用を説明することにより、前記裏印字情報編集出力手段５０および本発明について、より詳細に説明する。
フィルムからのプリント作成を行う際には、フィルムをスキャナ１６の所定位置（フィルムキャリア）にセットして、開始を指示する。これに応じて、出力画像を得るためのファインスキャンの読取条件の決定や、各種の画像処理の画像処理条件を決定するために、画像を粗に読み取るプレスキャンが行われる。このプレスキャンの際に、コマ番号と画像とを対応付けして、裏印字情報編集出力手段５０や画像処理手段等の必要な部位に送る。さらに、ＡＰＳのフィルムの場合には、プレスキャンの際に、磁気記録媒体を読み取り、フィルムＩＤ、撮影時のストロボ使用の有無などの撮影情報、カメラ機種（レンズ付きフィルム種）の情報等の必要な情報を、裏印字情報編集出力手段５０や画像処理手段等の必要な部位に送る。
他方、デジタルカメラ等で撮影された画像（画像データ）からのプリント作成（以下、画像データからのプリント作成とする）を行う際には、ＤＩＣ２０が画像データを取り込み、間引き等を行って、検定画像を生成する。また、画像データ（画像ファイル）から得られた、コマ番号（ファイルＮｏあるいはさらにフォルダＮｏ）、カメラ機種、撮影時のストロボ使用の有無などの撮影情報等の各種の情報を、裏印字情報編集出力手段５０や画像処理手段等の必要な部位に送る。
【００２２】
次いで、画像処理装置１８やＤＩＣ２０が検定画像を表示し、検定が行われる。なお、検定は、基本的に、公知のデジタルフォトプリンタと同様に行われる。従って、フィルムからのプリント作成では、プレスキャンで得られた画像（プレスキャンデータ）で検定画像が作成される。また、プレスキャンデータや検定画像生成のための間引き画像から、後述する画像処理の画像処理条件が設定され、検定画像には、この画像処理条件に応じた画像処理が施されているのも、公知のデジタルフォトプリンタと同様である。
なお、本発明のプリンタ１０において、検定は、必須の操作ではなく、また、操作モードとして、検定を行う通常モードと、検定を行わない自動モードとを設定して、何れかを選択できるようにしてもよい。
【００２３】
検定によって画像の色や濃度などが調整された場合には、それに応じて後述する画像処理の色／濃度補正条件なども調整される。
さらに、検定で画像の色や濃度が調整された場合には、各色（通常、Ｃ（シアン）、Ｍ（マゼンタ）、およびＹ（イエロー））毎の調整量、ならびに、濃度の調整量の情報が、裏印字情報編集出力手段５０に送られる。
【００２４】
図示例において、検定は、６コマの画像を表示して、６コマ単位で行われる。
フィルムからのプリント作成を行う際には、単位となる６コマ全ての検定ＯＫが入力された時点で、その６コマに対して、順次、プリント画像（出力画像データ）を得るためのファインスキャンが行われ、各コマの画像（ファインスキャンデータ）毎に、順次、画像処理が行われる。
また、画像データからのプリント作成を行う際には、検定ＯＫが入力された時点で、各コマの画像に、順次、画像処理を行い、プリント画像とする。
【００２５】
前述のように、画像処理装置１８およびＤＩＣ２０による画像処理は、基本的に、同じものである。
図示例においては、一例として、電子変倍処理（画像の拡大／縮小）、階調補正、色／濃度補正、彩度補正、シャープネス処理（鮮鋭度処理）、粒状抑制処理、覆い焼き処理（画像の中間階調を維持した、画像濃度ダイナミックレンジの圧縮もしくは伸長による、覆い焼き効果の付与）等の、画質的に画像を完成させる基本的な画像処理を、必須の画像処理（後述する画像処理３）として全ての画像に行う。
また、画像的な欠陥を補正するために必要に応じて行う高品位な画像処理として、赤目補正（ストロボ撮影に起因する赤目の補正）、傷消し処理（フィルムや撮影レンズの傷や、これらに付着したゴミ等による欠損画素（画像欠損部）の補正）、周辺減光補正（撮影レンズの周辺減光による濃度ムラの補正）、収差補正（撮影レンズの収差による歪みの補正）を実施する。
また、顧客（プリント作成の依頼者）から依頼が有った場合には、後述する画像処理５として、トリミング、ソフトフォーカス処理、クロスフィルタ処理等の顧客の依頼に応じた特殊仕上げ処理を行う。
これらの画像処理は、全て、公知の方法で実施すればよい。また、シャープネス処理と粒状抑制処理は、同時（粒状抑制シャープネス処理）に行ってもよい。
【００２６】
一例として、赤目補正は、まず画像から、赤目候補（赤目である可能性のある領域）を検出し、赤目候補周辺の所定領域で顏検出を行い、周辺で顏が検出できた赤目候補を赤目と特定して、赤目領域の色や彩度等を補正して、赤目を補正する方法が例示される。この方法によれば、先に顏検出を行って顏の中で赤目を検出する通常の赤目補正方法に比して、時間のかかる顏検出の回数を大幅に低減して、迅速な赤目補正を行うことができる。ないお、赤目候補検出は、赤目の色情報および形状情報を用いて、赤色の色相でかつ所定画素数以上の円形領域を赤目候補として検出すればよい。また、顏検出は、多数の顔の画像サンプルから予め作成した顏テンプレートを用いるテンプレートマッチングによる方法、多数の顔画像と非顔画像の特徴量抽出を行って、その結果から顔か非顔かを分離する関数や閾値を算出する事前学習を行い、対象画像に対して、事前学習と同様にして特徴量の抽出を行って、事前学習で得られた関数や閾値を用いて顔か非顔かを判別して、顔検出を行う、学習手法による顏検出方法等の公知の方法を用いればよい。
【００２７】
傷消し処理は、特開２０００−７４８４６号公報に開示される、エッジ検出によって条件を満たす線分を検出して、この線分を用いて、ゴミや傷に起因する欠損部を検出し、周辺画素との連続性や周辺領域の画像データを用いた補完等によって、欠損部を修正する方法や、特開２０００−９２３１９号公報に開示される、スムージング画像と原画像との差分の大きさから、ゴミや傷に起因する欠損候補領域を検出し、形状や色の変化などの候補領域の特徴から欠損部を検出し、先と同様に欠損部を修正する方法等で行えばよい。
また、フィルムからプリントを作成する際には、通常のＲ（赤）、Ｇ（緑）、およびＢ（青）の画像読取に加え、ＩＲ光（赤外光）での読み取りを行い、フィルムのゴミや傷に起因するＩＲ光の遮光や散乱を利用して、ＩＲ光の読取結果を用いてフィルム上におけるゴミや傷の位置を検出し、先と同様に欠損部を修正する方法も好適に利用可能である。
【００２８】
さらに、レンズ収差補正および周辺減光補正（以下、レンズ補正とする）は、例えば、特開平１１−２２５２７０号公報に開示される、予めカメラのレンズ特性を知見して記憶しておき、画像を撮影したカメラ種（レンズ種）を知見して、対応するレンズ特性を用いてレンズ収差補正および／または周辺減光補正を行う方法で行えばよい。
なお、カメラ機種は、例えば、ＡＰＳフィルムからのプリント作成であれば、スキャナでの読取時に磁気情報も読み取って、この情報を解析することにより、他方、画像データからのプリント作成であれば、画像ファイルに記録されている各種の情報を解析することにより、検出すればよい。
【００２９】
図示例のプリンタ１０において、画像処理は、図３に模式的に示すように、傷消し処理（画像処理１）、レンズ補正（画像処理２）、前記基本的な画像処理（画像処理３）、赤目補正（画像処理４）、および、顧客に依頼された特殊処理（画像処理５）の順番で、画像処理を実施する。
ここで、図示例においては、一例として、傷消し処理はフィルムからのプリント作成のみを対象として実施する。レンズ補正はカメラ機種を特定でき、かつ、レンズ特性を保有している機種によって撮影された画像のみに対して実施する。基本的な処理である画像処理３は、前述のように全ての画像に対して実施する。赤目補正は、撮影情報等からストロボ撮影ではないことが確定出来た画像以外の全画像に実施する。さらに、特殊処理は、顧客から依頼があった画像のみに実施する。
【００３０】
なお、本発明は、これに限定はされず、基本的な処理である画像処理３以外は、各画像処理毎に、実施の有無を選択／設定できるようにしてもよい。あるいは、画像処理３のなかでも、より優れた画質を得るために実施するシャープネス処理および／または覆い焼き処理は、実施の有無を選択／設定できるようにしてもよい。
あるいは、通常のプリント作成に対応する通常モードや、通常よりも高価であるが、より高品質なプリント（プレミアムプリント）を作成するプレミアムモードのように、モードを設定して、それぞれのモードで、実施する画像処理を選択／設定しておいてもよい。例えば、プレミアムモードでは全ての画像処理を実施し、通常モードでは画像処理３のみを実施するように設定し、フィルムセット時や画像データの取り込み時、検定の際にモードを選択して設定できるようにしてもよい。また、プレミアム１、プレミアム２、……のように、複数のプレミアムモードを用意しておき、例えば、プレミアム１はレンズ付きフィルム、安価なカメラ、携帯電話等で撮影した画像からのプリント作成に対応して、全ての画像処理を行い、プレミアム２は、通常のカメラでフィルムに撮影された画像からのプリント作成に対応して、傷消し、画像処理３および赤目補正のみを実施し、さらに、プレミアム３は、通常のデジタルカメラで撮影された画像からのプリント作成に対応して、画像処理３および赤目補正にみを実施するようにして、さらに、それぞれで異なる料金設定をしてもよい。
【００３１】
但し、顧客の依頼に応じた特殊処理である画像処理５に関しては、このような処理の実施の選択や設定は無関係で、顧客の依頼のみに応じて実施／非実施を設定するのは言うまでも無い。
【００３２】
また、画像処理装置１８およびＤＩＣ２０において、実施した各画像処理の情報は、裏印字情報編集出力手段５０に供給される。
一例として、傷消し処理（画像処理１）の情報としては、処理の実施の有無および補正個数の情報が、レンズ補正（画像処理２）の情報としては、収差補正および／または周辺減光補正の実施の有無の情報が、画像処理３の情報としては、シャープネス処理および覆い焼き処理の実施の有無の情報が、赤目補正（画像処理４）の情報としては、処理の実施の有無および補正個数の情報が、画像処理５の情報としては、実施した画像処理の情報が、それぞれ、裏印字情報編集出力手段５０に供給される。
【００３３】
なお、裏印字情報編集出力手段５０に供給する画像処理の情報（すなわち、裏印字の記録内容）は、これに限定はされず、各種の情報が利用可能である。また、画像処理の情報は、以下に示すように、各画像処理に応じたものであるのが好ましく、すなわち、裏印字うる画像処理の情報は、画像処理に応じて異なるのが好ましい。
基本的に、裏印字が可能であれば、画像処理の情報（裏印字の記録内容）は多い方が好ましい。また、どのような情報を裏印字で記録するかを、選択できるようにしてもよい。
【００３４】
一例として、傷消し処理の情報としては、実施の有無および補正個数に加え、欠損部の検出個数、欠損部および／または補正部の位置（座標）、修正程度（強度）等の情報が例示される。
レンズ補正は、各画像処理の実施の有無に加え、収差補正の情報としては収差補正強度の情報等が、周辺減光補正の情報としては周辺減光補正強度の情報等が例示される。
シャープネス処理および覆い焼き処理は、各画像処理の実施の有無に加え、シャープネス処理ではシャープネス強度の情報等が、覆い焼き処理では覆い焼き強度の情報等が例示される。なお、加えて、画像処理３に関する情報として、粒状抑制処理に関する情報として、粒状抑制度合い（強度）の情報も加えるのが好ましい。
赤目補正は、実施の有無および補正個数に加え、赤目の検出個数、赤目および／または補正部の位置（座標）、赤目の修正程度（強度）の情報等が例示される。
【００３５】
トリミングを実施した場合には、実施の有無の情報に加え、トリミング位置、センタートリミングかフリートリミングか等の情報が例示される。
また、ソフトフォーカス処理を実施した場合には、実施の有無の情報に加え、処理の強度設定等の情報が例示される。
さらに、クロスフィルタ処理を行った場合には、実施の有無の情報に加え、クロスフィルタの個数、クロスフィルタの位置（座標）、クロスフィルタの明るさ等の情報が例示される。
【００３６】
画像処理を施されたプリント画像（プリント出力用の画像データ）は、入力機１２から出力機１４に供給される。
ここで、各プリント画像には、裏印字情報編集出力手段５０による裏印字情報が対応付けされて、プリント画像と共に裏印字情報が出力機１４の制御系２４に出力される。
【００３７】
前述のように、裏印字情報編集出力手段５０には、検定の際における画像の色／濃度の調整の情報と、画像処理の情報とが供給される。
裏印字情報編集出力手段５０は、検定における色／濃度調整の情報、画像のコマ番号の情報、等の情報を用いて、写真プリントにおいて規格として設定されている裏印字の情報を第１裏印字情報（裏印１）として生成する。
さらに、裏印字情報編集出力手段５０は、画像処理の情報を用いて、画像処理の実施状態を示す裏印字の情報を第２裏印字情報（裏印２）として生成する。
【００３８】
前述のように、図示例においては、画像処理の情報として、レンズ補正、シャープネス処理および覆い焼き処理、ならびに特殊処理に関しては、実施の有無の情報が供給されるので、それぞれに対応して、実施した画像処理については実施した旨の第２裏印字情報を生成し、実施しなかった画像処理については第２裏印字情報を生成しない。あるいは、実施しなかった画像処理については、非実施を示す第２裏印字情報を生成してもよい。
【００３９】
他方、赤目補正および傷消し処理については、実施の有無に加え、補正個数の情報も供給されるので、図４（Ａ）の赤目補正および図４（Ｂ）の傷消し処理のフローチャートに示すように、まず、処理（赤目補正および傷消し処理）の実施の有無を判定して、処理無しの場合（Ｎ）には、赤目補正および傷消し処理の第２裏印字情報を生成しない。あるいは、同様に、非実施を示す第２裏印字情報を生成してもよい。
処理を実施した場合（Ｙ）には、処理箇所をカウントして結果をまとめ、実施した旨の情報および処理個数の情報を第２裏印字情報として出力する。なお、赤目補正および傷消し処理共に、画像を解析した結果、１つも赤目や欠損部が検出されなかった場合には、処理は実施して補正個数は「０」を示す第２裏印字情報を生成する。
【００４０】
次いで、裏印字情報編集出力手段５０は、第１裏印字情報および第２裏印字情報を編集して、裏印字を記録するための情報（以下、裏印字記録情報とする）として、対応するプリント画像に対応付けして、出力機１４の制御系２４に出力する。
編集処理では、図４（Ｃ）に示すように、まず、第１裏印字情報を取得して、次いで、第２裏印字情報の有無確認して、第２裏印字情報が無い場合（Ｎ）には、第１裏印字情報のみを編集して、写真プリントの規格に準じた裏印字を行うように裏印字記録情報を生成して、出力機１４に出力する。
第２裏印字情報が有る場合（Ｙ）には、第２裏印字情報を取得して、第１裏印字情報と第２裏印字情報を編集し、第１裏印字情報は写真プリントの規格に準じた裏印字を、第２裏印字情報は、実施した画像処理に応じた所定の裏印字を行うように、裏印字記録情報を生成して、出力機１４に出力する。
【００４１】
なお、第２裏印字情報に応じた裏印字には、特に限定はなく、各画像処理を実施した旨、あるいはさらに処理個数が分かるような形式を、適宜、決定すればよい。
一例として、傷消し処理を実施した場合には「scratche[○] num[x]」（ｘには処理個数）、周辺減光補正を実施した場合には「limb darken[○]」、収差補正を実施した場合には「distortion[○]」、シャープネスを実施した場合には「sharp[○]」、覆い焼きを実施した場合には「tone[○]」、赤目処理を実施した場合には「redeye[○] num[x]」との裏印字を、１列もしくは２列にまたがってするようにすればよい。
なお、図示例では、実施しなかった画像処理については、第２裏印字情報を生成しないので、対応する裏印字を行わない。もしくは、実施しなかった場合には、画像処理を示す印字の後に［×］を入れるようにしてもよい。
【００４２】
なお、出力機１４の裏印字手段３４の能力的に可能であれば、日本語表記で第２裏印字情報による裏印字を行うようにしてもよい。また、第１裏印字情報に応じた裏印字は、従来の写真プリンタと同様に、専門家のみにしか分からない記号化もしくは暗号化したものであってもよいが、第２裏印字情報に応じた裏印字は、プリント作成を依頼した顧客にも内容が分かるようにするのが好ましい。必要に応じて、裏印字として、第２裏印字情報に応じた裏印字の説明を加えてもよい。あるいは、設定によって、第２裏印字情報に応じた裏印字のみを行えるようにしてもよい。
【００４３】
裏印字は、図示例のような文字（１byte、２byte）でもよく、あるいは、適宜、設定したマーク（記号）であってもよい。さらに、モノクロでもカラーでもよい。
また、第１裏印字情報と第２裏印字情報とで、裏印字の色、サイズ、フォント等を変更してもよく、さらに、裏印字を２行で行う場合には、一方の行を第１裏印字情報に応じた裏印字、他方の行を第２裏印字情報に応じた裏印字としてもよい。
さらに、デジタルカメラ等で撮影された画像の場合には、画像ファイルから得られる撮影情報やファイル名等も裏印字してもよい。この際には、例えば、第１裏印字情報に対応する画像調整の情報と共に記録すればよい。
【００４４】
前述のように、プリント画像と、このプリント画像に対応する第１および第２の裏印字情報による裏印字記録情報とは、対応づけして出力機１４に出力される。
また、入力機１０は、出力機１２への出力に加えて、プリント画像および第２裏印字情報による裏印字の情報を、記憶媒体に記録し、および／または、通信ネットワーク等によって外部の装置に出力してもよい。
【００４５】
出力機１４では、まず、感光材料Ａをマガジン３０から引き出して、カッタ３２によってプリントサイズに応じて切断する。
次いで、感光材料Ａを前記所定の露光位置に向かう所定の搬送経路で搬送しつつ、裏印字手段３４によって、この感光材料Ａに再生するプリント画像に対応する裏印字記録情報に応じて、裏印字（バックプリント）を記録する。なお、この裏印字は、第１裏印字情報による写真プリントの規格に対応する印字のみならず、前記第２裏印字情報に応じた、プリント画像に施された画像処理に関する印字も含むものである。
さらに、裏印字を行った感光材料Ａを、露光位置において副走査方向に搬送しつつ、プリント画像（前述のように、記録した裏印字に対応する画像）に応じて変調し、主走査方向に偏向した光ビームＬによって二次元的に走査露光して、潜像を記録する。
【００４６】
潜像を記録した感光材料Ａは、現像部４０に供給して、現像、漂白／定着、水洗の各処理を順次行って現像処理を行い、現像済の感光材料を乾燥して、仕上がり（写真）プリントとして出力し、１件毎に仕分けする。
【００４７】
以上の説明より明らかなように、本発明によれば、プリントの出力において、赤目補正、ゴミ傷消し、レンズ収差補正、周辺減光補正等の高品位処理を行った際に、それらの情報を裏印字として記録するので、手間と時間のかかる高品位処理の実施、および、その効果を、プリント作成等を依頼された顧客に確実に訴求し、かつ、認識してもらうことができる。従って、本発明によれば、プリント等の高付加価値化、高品位処理を行わない画像との差別化、ラボ店等における他店舗との差別化や他店舗に対する価格維持、顧客の獲得および確保などを図ることができる。
また、赤目を直して欲しい等のクレームに応じて再プリントを行う場合にも、ラボ店のオペレータなどが、裏印字によって、先のプリント出力時に行った画像処理を知見できるので、再プリントの際には、適正に画像処理を行って問題を解決し、クレームに応じたプリントの出力を確実に行うことができる。
【００４８】
図１や図２に示す例では、プリンタ１０は出力機１４を１台のみ有するものであるが、本発明は、これに限定はされず、１台の入力機１２に、複数台の出力機１４が接続されてもよい。
この際には、例えば図４（Ｃ）のフローチャートにおいて、オペレータの入力指示等によって、第１裏印字情報（裏印１）と共に画像の属性情報（例えば面種等）を取得し、出力時に、対応するプリント画像に対応づけして、属性情報に応じて選択した出力機１４に裏印字記録情報を出力すればよい。なお、この際において、プリント画像の出力機１４への出力は、複数台の出力機１４を有するプリントシステムと同様にすればよい。
【００４９】
以上、本発明のプリンタについて詳細に説明したが、本発明は上記実施例に限定はされず、本発明の要旨を逸脱しない範囲において、各種の改良や変更を行ってもよいのは、もちろんである。
例えば、以上の例は、本発明をでデジタルの写真プリンタに利用した例であるが、本発明は、これに限定はされず、電子写真で画像を再生するプリンタ、インクジェットによって画像を再生するプリンタ、印刷装置、感光記録媒体を用いるプリンタ、感熱記録媒体を用いるプリンタ、感光感熱記録媒体を用いるプリンタ等、各種のプリンタに利用可能であり、これらでプリント（ハードコピー）を作成する記録媒体の裏面に、前述のような第１の裏印字情報および第２の裏印字情報に応じた裏印字を行ってもよい。
【図面の簡単な説明】
【００５０】
【図１】本発明のプリンタの一例を概念的に示す図である。
【図２】図１に示すプリンタの作用を説明するための概念図である。
【図３】図１に示すプリンタにおける画像処理を説明するための概念図である。
【図４】（Ａ）、（Ｂ）および（Ｃ）は、図１に示すプリンタの作用を説明するためのフローチャートである。
【符号の説明】
【００５１】
１０  プリンタ
１２  入力機
１４  出力機
１６  スキャナ
１８  画像処理装置
２０  ＤＩＣ
２４  制御系
３０  マガジン
３２  裏印字手段
３６  露光ユニット
４０  現像部
５０  裏印字情報編集出力手段
【図１】
2006145731.tif 000003
【図２】
2006145731.tif 000004
【図３】
2006145731.tif 000005
【図４】
2006145731.tif 000006